(57)【要約】      （修正有）【課題】家の敷地内や家屋内でスペースをとらずにお墓の機能を有するとともに、遺骨の保存が容易で、形見として機能することができるモニュメントとなる造型物を提供する。【解決手段】モニュメント１０Ａは、母体１１を備えてなるものである。母体１１は、その表面に装飾部１２が形成され、装飾部１２は、装飾部１２を形成する材料として、遺骨を粉末状にした遺骨粉を含んで形成されている。【選択図】図１
0003195149.tif 000002
【実用新案登録請求の範囲】
【請求項１】
遺骨を粉末状にした遺骨粉を原料として含んで形成された母体を備えてなることを特徴とする造型物。
【請求項２】
請求項１において、
前記母体は、その表面または内部に、前記遺骨粉を含む原料を用いてデザインが施された装飾部を備えてなる造型物。
【請求項３】
母体と、前記母体の表面に設けられる、遺骨を粉末状にした遺骨粉を原料として含んで形成された被覆層とを備えてなることを特徴とする造型物。
【請求項４】
請求項３において、
前記母体と前記被覆層との何れか一方または両方の表面または内部にデザインが施された装飾部を備えてなる造型物。
【請求項５】
請求項２または４において、
前記装飾部が３次元プリンタを用いて作製されてなる造型物。
【請求項６】
請求項１〜５の何れか１つにおいて、
前記母体が、樹脂、金、銀、銅、チタン、プラチナ、ステンレス、石灰ソーダガラス、コンクリート、タイル、石膏、ゴムライクからなる群から選択される１種以上を含んで形成されてなる造型物。
【請求項７】
請求項１〜６の何れか１つにおいて、
前記母体が、透明または半透明の樹脂で形成されてなる造型物。
【請求項８】
請求項１〜７の何れか１つにおいて、
記念碑、お墓、位牌、または遺影に用いられる造型物。
【考案の詳細な説明】
【技術分野】
【０００１】  本考案は、故人や亡くなったペットなどを思い出すための室内用の記念碑などとして用いられる造型物に関する。
【背景技術】
【０００２】  一般に、人や飼っていた犬や猫等のペットなどが亡くなると、故人やペットの火葬後の遺骨は骨壺等の容器に収められ、その後、骨壺等は各家の墓や納骨堂に収納して安置されるが自宅等の仏壇に置かれて、位牌、遺影と共に故人やペットの霊を祀っている場合が多い。【０００３】  お墓を設置している霊園等では毎年の管理料としての維持費を支払う必要があり、またお墓は屋外に設置されるために周囲の除草や掃除をしなければならないなどお墓を引き継ぐ家族等の将来的な負担は大きくなる。【０００４】  また、故人のお墓が遠くにある場合、お盆やお正月など一年に何度かお墓にお参りに行くため交通費等の費用が掛かり、時間や手間などの負担を要する。【０００５】  さらに、近年のマンションやアパートなどでは仏壇を置くスペースが作られていない場合が多いため、これまでのような仏壇は自宅に置くことが困難な場合が多い。【０００６】  そこで、例えば、原材料に遺骨を用いて仏像等を作成することにより遺骨の処理を行う遺骨の処理方法（例えば、特許文献１参照）や、骨を固着した遺骨皿を容器内部に設け、遺骨の散乱や風化等を防止するとともに遺骨を容易に保存することができる室内装飾品として利用可能な葬祭用香炉の器（例えば、特許文献２参照）が提案されている。
【考案の概要】
【考案が解決しようとする課題】
【先行技術文献】
【特許文献】
【０００７】
【特許文献１】特開平０５−１２３３６８号公報
【特許文献２】特開２００１−０５４５４２号公報
【０００８】  従来のように、遺骨を用いて像を形成する方法では、遺骨をそのまま使用し難い上、表面に金属箔を付ける必要があるため、作製に手間を要する。また、遺灰などを収納する骨壷などの置物は、室内でも仏壇など設置場所が限定され易い。また、遺灰等を持ち運ぶ際に、不慮の衝撃で遺灰が飛散する可能性がある。【０００９】  人間やペットが亡くなると、残された家族や飼い主は、生前の写真や記念物などで亡くなった人間やペットを思い出したり、面影を偲ぶことがある。そのため、故人や亡くなったペットをこれまでよりさらに多種多様な形で思い出となる記念碑や造形物として室内で安心して長期間使用することができるような方法が希求されている。【００１０】  本考案は、上記に鑑みてなされたものであって、家の敷地内や家屋内でスペースをとらずにお墓の機能を有するとともに、遺骨の保存が容易で、形見として機能することができる造型物を提供することを目的とするものである。
【課題を解決するための手段】
【００１１】  上述した課題を解決し、目的を達成するために、本考案による造型物は、遺骨を粉末状にした遺骨粉を原料として含んで形成された母体を備えてなることを特徴とする。
【００１２】  本考案においては、前記母体は、その表面または内部に、前記遺骨粉を含む原料を用いてデザインが施された装飾部を備えてなることが好ましい。
【００１３】  本考案においては、母体と、前記母体の表面に設けられる、遺骨を粉末状にした遺骨粉を原料として含んで形成された被覆層とを備えてなることが好ましい。
【００１４】  本考案においては、前記母体と前記被覆層との何れか一方または両方の表面または内部にデザインが施された装飾部を備えてなることが好ましい。
【００１５】  本考案においては、前記装飾部が３次元プリンタを用いて作製されてなることが好ましい。
【００１６】  本考案においては、前記母体が、樹脂、金、銀、銅、チタン、プラチナ、ステンレス、石灰ソーダガラス、コンクリート、タイル、石膏、ゴムライクからなる群から選択される１種以上を含んで形成されてなることが好ましい。
【００１７】  本考案においては、前記母体が、透明または半透明の樹脂で形成されてなることが好ましい。
【００１８】  本考案においては、記念碑、お墓、位牌、または遺影に用いられることが好ましい。
【考案の効果】
【００１９】  本考案によれば、家の敷地内や家屋内でスペースをとらずにお墓の機能を有するとともに、遺骨の保存が容易で、形見として機能することができる。これにより、遺骨を散骨する必要がなくなるため、墓地、墓石などを持つことなく遺骨を処理、管理することができ、故人やペットの供養をすることができる。また、造型物は、故人やペットの遺骨を含んで形成されているため、記念碑、お墓、位牌、または遺影などを全て一体化したものとすることができる。よって、墓地墓石購入費又は入墓料、位牌制作料、遺影制作料など従来多額な費用を要していたものを大幅に削減することができると共に、遺族やペットの飼い主に対し強い愛着を感じさせる作用を付加させることができる。さらに、日常生活で遺族やペットの飼い主の近くに置くことによって、故人や亡くなったペットを身近に感じることができるため、遺族やペットの飼い主の気持ちを慰める効果があり、遺族やペットの飼い主の気持ちを落ち着かせることができる。
【図面の簡単な説明】
【００２０】
【図１】  本考案による実施例１に係るモニュメントを示す概略図である。
【図２】  モニュメントの他の形態を示す概略図である。
【図３】  本考案による実施例２に係るモニュメントを示す概略図である。
【考案を実施するための形態】
【００２１】  以下、本考案につき図面を参照しつつ詳細に説明する。なお、下記の実施例により本考案が限定されるものではない。また、下記実施例における構成要素には、当業者が容易に想定できるもの、実質的に同一のものが含まれる。さらに、下記実施例で開示した構成要素は適宜組み合わせることが可能である。
【実施例１】
【００２２】  本考案による実施例１による造型物について、図面を参照して説明する。なお、本実施例では、造型物がモニュメントである場合について説明する。図１は、本考案による実施例１に係るモニュメントを示す概略図である。図１に示すように、モニュメント（造型物）１０Ａは、母体１１と、母体１１の表面に形成される装飾部１２を備えてなるものである。【００２３】  母体１１は、樹脂組成物、金、銀、銅、チタン、プラチナ、ステンレス、石灰ソーダガラス、コンクリート、タイル、石膏、ゴムライクなどの１種以上と、遺骨を粉末状にした遺骨粉とを原料として含んで形成されている。本実施例においては、母体１１は、樹脂組成物と、遺骨を粉末状にした遺骨粉とを原料として含んで形成されている。これにより、母体１１は、透明に形成することができる。樹脂組成物としては、例えば、ＡＢＳ樹脂、ＰＬＡ樹脂、ナイロン樹脂、アクリル樹脂、フェノール樹脂、ユリア樹脂、メラミン樹脂、エポキシ樹脂、ポリウレタン樹脂、ビニル樹脂などが挙げられる。これらのうち、１種類単独又は２種以上を用いて母体１１を形成してもよい。上記のような樹脂組成物を用いれば、母体１１を透明にすることができる。本実施例においては、母体１１が透明であること、耐温性が高いこと、加工しやすいこと、およびコスト低減などの観点から、エポキシ樹脂、アクリル樹脂、ビニル樹脂を主成分として含む樹脂組成物であることが好ましい。なお、透明とは、光の透過性が高いことをいい、例えば光の透過性が８０％以上のことをいう。【００２４】  なお、本実施例においては、母体１１は、透明に形成されているが、半透明でもよいし、透明でなくてもよい。また、透明度に勾配をつけてもよい。例えば、母体１１の一方から他方に向かうにしたがって透明度が高くなるようにグラデーションが形成されていてもよい。なお、半透明とは、光は通過するが光の透過性が８０％未満のことをいい、透明でないとは、光の透過性がほぼゼロの場合をいう。【００２５】  母体１１が半透明である場合、母体１１は、上記のように透明な材料に着色剤などを含んで構成することができる。【００２６】  母体１１が透明でない場合、母体１１を形成する材料としては、上記樹脂以外に、例えば、金、銀、銅、チタン、プラチナ、ステンレス、石灰ソーダガラス、コンクリート、タイル、石膏、ゴムライクなどを用いることができる。これは１種類単独又は２種以上を用いてもよい。【００２７】  母体１１の大きさは、特に限定されるものではなく適宜任意の大きさにすることができる。【００２８】  母体１１の形状は、特に限定されるものではなく、例えば、塔、人間、動物、建築物など種々の形状にすることができる。【００２９】  母体１１の表面の装飾部１２は、母体１１の表面にレーザーを照射して母体１１の表面を焼くことで形成することができる。【００３０】  装飾部１２の形状は、任意の形状にすることができ、例えば、人間、動物、建造物、名称など種々の形状にすることができる。【００３１】  装飾部１２の大きさは、母体１１の内部に収まる大きさであれば特に限定されるものではなく適宜任意の大きさにすることができる。【００３２】  また、母体１１および装飾部１２の表面には��ガラスコーティング層、セラミックコーティング層などの被覆層を設けてもよい。これにより、母体１１の強度を補強することができると共に、母体１１および装飾部１２の表面に変色、変質が生じることを抑制することができる。【００３３】  また、母体１１および装飾部１２の表面、また母体１１および装飾部１２の表面に被覆層を設けた場合、その被覆層の表面には、鏡面塗装層を設けて光沢等の鏡面仕上げを施して、美観を付与してもよい。これにより、母体１１、装飾部１２、または被覆層の変色、変質が生じることを抑制することができる。【００３４】  よって、モニュメント１０Ａは、装飾部１２の原料に遺骨粉を用いることができるため、家の敷地内や家屋内でスペースをとらずにお墓の機能を有するとともに、遺骨の保存が容易で、形見として機能することができる。このため、装飾部１２を故人や亡くなったペットの写真、像、俗名、戒名、家紋、詩歌などとすることで、モニュメント１０Ａは、記念碑、お墓、納骨堂などの位牌、または遺影などに用いることができる。【００３５】  これにより、モニュメント１０Ａは、お墓として機能し、遺骨を散骨する必要がなくなり、墓地、墓石などを持つことなく遺骨を処理、管理することができるため、お墓を設置している霊園等に毎年の管理料としての維持費を支払う必要はなくなり、また屋内に設置されるため、お墓の清掃などお墓の管理に要する費用の負担を低減することができる。また、お墓が遠くにある場合に比べ、お盆やお正月など一年に何度かお墓にお参りに行く必要もなくなるため、交通費等の低減を図ることができると共に、時間や手間の負担を軽減することができる。【００３６】  また、母体１１は、故人やペットの遺骨を含んで形成されているため、記念碑、お墓、位牌、または遺影などを全て一体化したものとすることができる。よって、墓地墓石購入費又は入墓料、位牌制作料、遺影制作料など従来多額な費用を要していたものを大幅に削減することができると共に、モニュメント１０Ａは、故人やペットの遺骨の形見として機能することができるため、遺族や亡くなったペットの飼い主はそのモニュメント１０Ａに対し強い愛着を感じさせる作用を付加させることができる。【００３７】  さらに、モニュメント１０Ａが日常生活で遺族やペットの飼い主の近くに置かれることによって、故人や亡くなったペットを身近に感じることができるため、遺族やペットの飼い主の気持ちを慰める効果があり、遺族やペットの飼い主の気持ちを落ち着かせる効果を発揮することができる。【００３８】  なお、本実施例では、母体１１の装飾部１２の原料に遺骨粉を用いているが、これに限定されるものではなく、母体１１および装飾部１２の表面に被覆層を設ける場合、遺骨粉は、母体１１の装飾部１２の原料に用いず、被覆層の原料に含めてもよいし、母体１１および装飾部１２の他に被覆層の原料に含めてもよい。遺骨粉を母体１１の装飾部１２の原料に用いず、被覆層の原料に含めることにより、モニュメント１０Ａに故人やペットの遺骨を含めつつ、より低コストでモニュメント１０Ａを製造することができる。【００３９】  また、本実施例では、母体１１に装飾部１２を設けているが、これに限定されるものではなく、母体１１の表面に被覆層を設ける場合、装飾部１２は、被覆層の表面または内部に、デザインが施された装飾部を備えるようにしてもよい。これにより、モニュメント１０Ａ中に故人やペットの遺骨を含めながら、より低コストかつ簡易にモニュメント１０Ａを製造することができる。【００４０】  また、本実施例では、母体１１の形状は、四角柱としているが、例えば、故人の飼っていた犬、猫、小鳥などの動物類を模した像や、故人の好んだ植木、花卉などの植物類を模した像や、故人に縁のある家、車、船などを模した像など様々な物品を模した形状であってもよい。【００４１】  また、モニュメントは、故人やペットの記念碑、お墓、位牌、または遺影以外に、各種記念品、トロフィー、贈り物、装飾品、インテリア製品、美術品、装飾品、工業製品等としてもよい。また、このような製品等の表面の少なくとも一部が酸化して光沢を失ったり、変質したりしないようにするため、これらの製品等の表面に酸化防止処理を行うようにしてもよい。
【実施例２】
【００４２】  本考案による実施例２に係る造型物について、図面を参照して説明する。本実施例の造型物の構成は、上述の図１に示す造型物の構成と同様であるため、同一の部材には同一の符号を付してその説明を省略する。【００４３】  図２は、本考案による造型物の一例を示す図である。図２に示すように、モニュメント１０Ｂは、母体１１の内部に装飾部１２が形成されてなるものである。【００４４】  装飾部１２は、予め準備されたデザイン等に基づいて３次元プリンタで作製されてなるものである。装飾部１２を形成する材料として、遺骨を粉末状にした遺骨粉に、上記母体１１と同じ材料、カルシウム、アルミニウムなどの金属粉末、ケイ砂（ＳｉＯ２）、炭酸カルシウム（ＣａＣＯ３）、燐酸カルシウム（Ｃａ３（ＰＯ４）２）、酸化カルシウム（ＣａＯ）、水酸化カルシウム（Ｃａ（ＯＨ）２）、炭酸カルシウム（ＣａＣＯ３）などを混合して用いることができる。これらの原料は、１種類単独又はこれら複数を用いてもよい。【００４５】  モニュメント１０Ｂは、作製された装飾部１２に、母体１１を形成する材料を原料として母体１１を形成する。母体１１表面は、研磨等して磨くなど適宜加工を施すようにしてもよい。【００４６】  母体１１の表面は、光沢等の鏡面仕上げで美観が付与されていてもよいし、ガラスコーティング層、セラミックコーティング層で被覆してもよい。これにより、変色、変質が生じることを抑制することができる。【００４７】  また、本実施例では、母体１１および装飾部１２は別々に作製してモニュメント１０Ｂが製造されているが、これに限定されるものではなく、本実施例では、３次元プリンタで装飾部１２の基になるデザインを作製した後、前記デザインに基づいて、母体１１および装飾部１２は、母体１１および装飾部１２を形成する材料を原料として、３Ｄプリンタを用いて同時に製造してもよい。【００４８】  モニュメント１０Ｂは、モニュメント１０Ａと同様、装飾部１２の原料に遺骨粉を用いることができるため、家の敷地内や家屋内でスペースをとらずにお墓の機能を有するとともに、遺骨の保存が容易で、形見として機能することができる。このため、装飾部１２を故人や亡くなったペットの写真、像、俗名、戒名、家紋、詩歌などとすることで、モニュメント１０Ｂは、記念碑、お墓、納骨堂などの位牌、または遺影などに用いることができる。【００４９】  なお、本実施形態においては、装飾部１２が母体１１の内部に形成されているが、装飾部１２は、モニュメント１０Ａと同様、母体１１の表面に形成されていてもよい。
【実施例３】
【００５０】  本考案による実施例３に係る造型物について、図面を参照して説明する。なお、本実施例では、造型物がネームプレートである場合について説明する。本実施例の造型物の構成は、上述の図１に示す造型物の構成と同様であるため、同一の部材には同一の符号を付してその説明を省略する。【００５１】  図３は、本考案による造型物の一例を示す図である。図３に示すように、ネームプレート２０は、母体１１の表面に装飾部１２が形成されてなるものである。本実施例では、母体１１はコンクリート、タイル、石膏、ゴムライクなどを用いて作製される。【００５２】  母体１１および装飾部１２の表面が、変色、変質が生じることを抑制するため、ガラスコーティング層、セラミックコーティング層で被覆しておくことが好ましい。【００５３】  ネームプレート２０においても、モニュメント１０Ａ、１０Ｂと同様、装飾部１２の原料に遺骨粉を用いることができるため、家の敷地内や家屋内でスペースをとらずにお墓の機能を有するとともに、遺骨の保存が容易で、形見として機能することができる。このため、装飾部１２を故人や亡くなったペットの写真、像、俗名、戒名、家紋、詩歌などとすることで、ネームプレート２０は、記念碑、お墓、納骨堂などの位牌、または遺影などに用いることができる。さらに、ネームプレート２０は、簡易に移動することができるため、汎用性に優れる。特に、ネームプレート２０は、本体１１および装飾部１２の原材料に遺骨粉が含まれているため、合同慰霊碑や共同散骨所用のネームプレートとして有効に使用することができる。【００５４】  表面は、光沢等の鏡面仕上げで美観が付与されていてもよいし、ガラスコーティング層、セラミックコーティング層で被覆してもよい。これにより、変色、変質が生じることを抑制することができる。【００５５】  また、母体２１は、その内部に、ペットや故人の遺骨を収容するための遺品収納部を設けるようにしてもよい。これにより、母体２１は内部に遺品を収容することができるため、遺灰や遺骨の一部を収納、保存することができる。【００５６】  母体２１および装飾部１２は、母体２１および装飾部１２を形成する材料を原料として、３Ｄプリンタを用いて同時に製造される。【００５７】  よって、モニュメント２０は、上記図１に示すモニュメント１０Ａと同様、装飾部１２の原料に遺骨粉を用いることができるため、家の敷地内や家屋内でスペースをとらずにお墓の機能を有するとともに、遺骨の保存が容易で、形見として機能することができる。このため、装飾部１２を故人や亡くなったペットの写真、像、戒名などとすることで、モニュメント２０でも、記念碑、お墓、位牌、または遺影などに用いることができる。
【符号の説明】
【００５８】  １０Ａ、１０Ｂ  モニュメント（造形物）
１１、２１  母体
１３  装飾部
２０  ネームプレート（造形物）
【図１】
0003195149.tif 000003
【図２】
0003195149.tif 000004
【図３】
0003195149.tif 000005